(57)【要約】【課題】  本発明によれば、記憶に深く残る画像印刷物を提供することが可能となる。【解決手段】  本発明に係る画像出力装置１００は、まず、利用者に挿入画像Ｉｍを選択させることで、印刷物１２４に付加する香りを決定する。続いて、被写体１２１を撮影して撮影画像５０を取得する。そして、取得した撮影画像５０に挿入画像Ｉｍを合成させた合成画像７０を被印刷物１２０に印刷し印刷物１２４を出力するとともに、印刷物１２４に香りを付加する。【選択図】図１
2017069769.tif 000002
【特許請求の範囲】
【請求項１】
画像データを取得する取得手段と、
前記画像データを被印刷物に印刷して印刷物を出力する印刷手段と、
前記印刷物または前記被印刷物に香りを付加する付加手段と、
を備えることを特徴とする画像出力装置。
【請求項２】
挿入画像と香りを対応づけて記憶する記憶手段と、
挿入画像を選択させる選択手段と、を更に備え、
前記印刷手段は、選択された前記挿入画像を含む前記画像データを印刷して出力し、
前記付加手段は、選択された前記挿入画像に対応する前記香りを付加する
ことを特徴とする請求項１に記載の画像出力装置。
【請求項３】
画像情報と香りを対応付けて記憶する記憶手段と、
前記画像データから画像情報を認識する認識手段と、を更に備え、
前記付加手段は、認識された前記画像情報に対応する前記香りを付加する
ことを特徴とする請求項１に記載の画像出力装置。
【請求項４】
前記認識手段により複数の画像情報が認識された場合、前記付加手段は、認識確度が高い画像情報を優先して１つ選択し、選択した当該画像情報に対応する前記香りを付加する
ことを特徴とする請求項３に記載の画像出力装置。
【請求項５】
前記認識手段により複数の画像情報が認識された場合、前記付加手段は、各画像情報の画像データ中の位置またはサイズに基づいて、１つの画像情報を選択し、選択した当該画像情報に対応する前記香りを付加する
ことを特徴とする請求項３に記載の画像出力装置。
【請求項６】
前記認識手段により複数の画像情報が認識された場合、前記付加手段は、当該複数の画像情報に対応する複数の香りを、前記印刷物または前記被印刷物の互いに異なる位置に付加する
ことを特徴とする請求項３に記載の画像出力装置。
【請求項７】
前記付加手段により付加される香りと同一の香りを放出する放出手段、を更に備える
ことを特徴とする請求項１から請求項６のいずれかに記載の画像出力装置。
【請求項８】
画像データを取得する取得ステップと、
前記画像データを被印刷物に印刷して印刷物を出力する印刷ステップと、
前記印刷物または前記被印刷物に香りを付加する付加ステップと、
を含むことを特徴とする画像出力方法。
【請求項９】
請求項１に記載の画像出力装置として機能させることを特徴とするプログラム。
【発明の詳細な説明】
【技術分野】
【０００１】
本発明は、画像出力装置等に関し、特に、写真シール機や証明写真機などの画像印刷物を出力する画像出力装置等に関する。
【背景技術】
【０００２】
従来から写真シール機や証明写真機などの画像出力装置が存在する（例えば特許文献１、２）。このような画像出力装置は、被写体を撮影した画像データに対して、例えばクロマキー技術を用いて様々な背景の画像を合成して出力するなど、利用者を視覚的に楽しませる様々な機能を有している。しかしながら、従来の画像出力装置は、思い出として記憶に深く残る画像印刷物を提供するまでには至っていなかった。
【先行技術文献】
【特許文献】
【０００３】
【特許文献１】特開２００５−１９１６６５号公報
【特許文献２】特開２０１１−２５９１１２号公報
【発明の概要】
【発明が解決しようとする課題】
【０００４】
本発明は、前述した問題点に鑑みてなされたものであり、その目的とすることは、記憶に深く残る画像印刷物を提供する、画像出力装置等を実現することである。
【課題を解決するための手段】
【０００５】
前述した目的を達成するための第１の発明は、画像データを取得する取得手段と、前記画像データを被印刷物に印刷して印刷物を出力する印刷手段と、前記印刷物または前記被印刷物に香りを付加する付加手段と、を備えることを特徴とする画像出力装置である。
第１の発明によれば、香りが付加された画像印刷物が得られる。嗅覚は、五感の中で唯一、記憶や感情を創り出す大脳辺縁系と直接つながっており、香りは人間の記憶や感情に大きく作用する。本発明によれば、画像印刷物に付加した香りによって、大脳辺縁系が刺激され、写真を撮影したときの状況等が想起される。これにより記憶に深く残る画像印刷物を提供することが可能となる。
【０００６】
また第１の発明において、挿入画像と香りを対応づけて記憶する記憶手段と、挿入画像を選択させる選択手段と、を更に備え、前記印刷手段は、選択された前記挿入画像を含む前記画像データを印刷して出力し、前記付加手段は、選択された前記挿入画像に対応する前記香りを付加するようにしてもよい。これによって、画像データに挿入画像を合成することができ視覚的に面白みのある画像印刷物を作成できるとともに、挿入画像に対して嗅覚的な効果を付加することができる。このとき挿入画像に応じた香りが付加されるため、画像の雰囲気と調和した香りを発する画像印刷物が得られる。
【０００７】
また第１の発明において、画像情報と香りを対応付けて記憶する記憶手段と、前記画像データから画像情報を認識する認識手段と、を更に備え、前記付加手段は、認識された前記画像情報に対応する前記香りを付加するようにしてもよい。これによって、画像データから自動認識された画像情報に基づいて香りを自動で付加することができる。
【０００８】
また、前記認識手段により複数の画像情報が認識された場合、前記付加手段は、認識確度が高い画像情報を優先して１つ選択し、選択した当該画像情報に対応する前記香りを付加するようにしてもよいし、前記付加手段は、各画像情報の画像データ中の位置またはサイズに基づいて、１つの画像情報を選択し、選択した当該画像情報に対応する前記香りを付加するようにしてもよい。これによって、複数の画像情報が認識された場合に、好適な画像情報を１つ選択し香りを付加することができる。
【０００９】
さらに、前記認識手段により複数の画像情報が認識された場合、当該複数の画像情報に対応する複数の香りを、前記印刷物または前記被印刷物の互いに異なる位置に付加するようにしてもよい。これによって、複数の画像情報が認識された場合、印刷物に複数の香りを好適に付加する手段が提供される。
【００１０】
また第１の発明において、前記付加手段により付加される香りと同一の香りを放出する放出手段、を更に備えるようにしてもよい。これによって、利用者は印刷物に付加される香りを必然的に嗅ぐこととなるため、写真撮影時の状況等を確実に記憶に残す画像印刷物を得ることが可能となる。
【００１１】
前述した目的を達成するための第２の発明は、画像データを取得する取得ステップと、前記画像データを被印刷物に印刷して印刷物を出力する印刷ステップと、前記印刷物または前記被印刷物に香りを付加する付加ステップと、を含むことを特徴とする画像出力方法である。
第２の発明によれば、第１の発明と同様の効果を生ずる画像出力方法が提供される。
【００１２】
前述した目的を達成するための第３の発明は、請求項１に記載の画像出力装置として機能させることを特徴とするプログラムである。
第３の発明に係るプログラムをインストールすることで第１の発明に係る画像出力装置が得られる。
【発明の効果】
【００１３】
本発明によれば、記憶に深く残る画像印刷物を提供することが可能となる。
【図面の簡単な説明】
【００１４】
【図１】画像出力装置１００の機能構成を示す図
【図２】画像出力装置１００の外観構成を示す外観斜視図
【図３】画像出力装置１００のハードウェア構成を示す図
【図４】挿入画像ＤＢ（データベース）２０を示す図
【図５】香りＤＢ（データベース）３０を示す図
【図６】画像・香り対応テーブル４０を示す図
【図７】画像出力装置１００の動作を示すフローチャート（第１の実施形態）
【図８】挿入画像を選択する画面の表示例を示す図
【図９】挿入画像が合成された合成画像７０の例を示す図
【図１０】画像・香り対応テーブル４０Ａを示す図
【図１１】画像出力装置１００Ａの動作を示すフローチャート（第２の実施形態）
【図１２】撮影画像５０Ａの表示例を示す図
【図１３】認識された画像情報を示す図
【図１４】編集画像８０の例を示す図
【図１５】認識された画像情報を示す図
【図１６】画像出力装置１００Ｂの機能構成を示す図
【図１７】画像出力装置１００Ｂの外観構成を示す外観斜視図
【図１８】画像出力装置１００Ｂのハードウェア構成を示す図
【図１９】画像出力装置１００Ｂの動作を示すフローチャート（第３の実施形態）
【発明を実施するための形態】
【００１５】
以下、添付図面を参照しながら、本発明に係る画像出力装置等の実施形態について説明する。なお、以下の説明及び添付図面において、略同一の機能構成を有する構成要素については、同一の符号を付すことにより重複説明を省略することにする。
【００１６】
［第１の実施形態］
まず、図１〜図９を参照して、本発明の第１の実施形態について説明する。
【００１７】
＜画像出力装置１００の機能構成＞
図１は、第１の実施形態に係る画像出力装置１００の機能構成を示すブロック図である。図に示すように、画像出力装置１００は、主に、画像データ読込書込手段１１１、画像合成編集手段１１２、印刷手段１１４、注文内容入力手段１１５、課金手段１１６、香り付加手段１１８等の機能を備える。
【００１８】
画像データ読込書込手段１１１は、被写体１２１（利用者）をデジタルカメラ等の撮像装置により撮像したり、原稿１２２をスキャナ装置等の原稿読取装置により読み取ったり、予め画像データが記憶された記憶媒体１２３（メディア）から読み取ることにより、画像データを取得する。また、スマートフォン等の携帯端末との無線又は有線通信により、携帯端末に記憶された画像データを受信し、取得してもよい。
【００１９】
また、画像データ読込書込手段１１１は、画像出力装置１００が作成した画像データを記憶媒体１２３に記録することができる。記憶媒体１２３は、例えば、スマートメディア、ＵＳＢ等である。
【００２０】
画像合成編集手段１１２は、画像データに対して、挿入画像Ｉｍの合成、タッチペン等による落書き、テキスト挿入、画像データの切抜き、明るさ調整、変倍、美白補正、赤目補正、黒目拡大補正等の合成・編集等を行う。
【００２１】
印刷手段１１４は、画像データを被印刷物１２０に印刷し印刷物１２４を出力するカラープリンタであり、昇華型あるいはインクジェット型などの方式は問わない。印刷出力される印刷物１２４は、シールプリント、証明写真、インデックスプリント、はがき等である。
【００２２】
香り付加手段１１８は、印刷手段１１４により出力された印刷物１２４を受けて、印刷物１２４に所定の香りを付加する。具体的には、画像出力装置１００は、内部に香料が充填された複数のタンクから成る香りカートリッジを有しており、各タンクから各香料を導入し適切な配合比で配合することで所定の香り（例えば“桜の香り”“海の香り”・・・）を生成し、生成した香りをノズル等の吐出部から吐出することで印刷物１２４に付加する。また、香り付加手段１１８は、吐出部を移動制御することで印刷物１２４における任意の位置に香りを付加することができる。また、吐出部からの吐出量を制御することで印刷物１２４に対する香りの付加量を任意に制御できる。香りを付加した印刷物１２４は印刷物取出口２０５に送出される。
【００２３】
注文内容入力手段１１５により利用者は、出力すべき注文内容を必要に応じて選択する。選択する項目としては、印刷モードの選択（シールプリント、証明写真プリント、メディアから取り込んだ実画像データの出力、インデックスプリント、はがきプリント、等の指定）や、印刷枚数や印刷サイズ、メディアから実画像を取り込む場合にはどの画像を印刷するかの指定等がある。
【００２４】
注文内容入力手段１１５としては、例えば、液晶ディスプレイ等の表示手段と一体化されたタッチパネルや、キーボード、マウスやトラックボールのような各種ポインタを用いることができる。
課金手段１１６は予め投入された金額に応じて、画像出力装置１００の各機能を有効とする。
【００２５】
＜画像出力装置１００の外観構成＞
図２は、画像出力装置１００の外観構成を示す外観斜視図である。画像出力装置１００は、通常、撮影ボックス等の閉空間内に設置されるが、開空間に設置されていてもよい。画像出力装置１００（本体）の上段部正面には、タッチパネル付きモニタ等であるモニタ画面２０１が配置されている。モニタ画面２０１は、操作の案内や、操作の状況や、撮像した画像や合成、編集した画像等を表示する表示手段としての機能を有する。
【００２６】
モニタ画面２０１の画面の横には、メディア挿入口２０２が設置される。上段部と下段部を分けている水平部には、印刷物の画像を読み取ってデジタルデータ化するスキャナ面２０３が設置される。また、モニタ画面２０１の画面の上には、デジタルカメラ等の撮像装置により被写体１２１（利用者）を撮像するためのレンズ窓２０４が設置される。
これらのメディア挿入口２０２、スキャナ面２０３、窓２０４は、画像データ読込書込手段１１１の一部を構成する。
【００２７】
メディア挿入口２０２は、各種メディア（スマートメディア、ＵＳＢ等）の受付部であり、スマートメディア挿入口、ＵＳＢ挿入口等がひとまとめの位置に配置されている。また、画像出力装置１００の本体内には上記各記録メディアの種類に対応して、それぞれの読取装置（メディアリーダ）の本体（不図示）が設置されている。
【００２８】
画像出力装置１００の下段部には、印刷物取出口２０５、スピーカ２０６等が設置され、この他、料金投入口（硬貨投入口、紙幣投入口）、返却レバー、返却口、レシート取出口、メンテナンスキー、ドア開閉キー等が配置される。
【００２９】
印刷物取出口２０５は、印刷手段１１４の一部を構成する。利用者は、タッチパネルに触れるなどしてプリント実行を指示した後、印刷物取出口２０５から放出される印刷物を受け取る。
スピーカ２０６は、操作中あるいは待機中に、操作案内メッセージ、警告音、確認音、効果音、ＢＧＭ等を再生する。
【００３０】
照明装置２０７は、電球、蛍光灯、フラッシュバルブ、ストロボ等の写真用照明である。照明装置２０７は、上記の定常光（連続光）、フラッシュ光等を併用するようにしてもよい。
【００３１】
また、画像出力装置１００の本体内には、図示はしないが、各構成部分を制御するための制御部を含むパーソナルコンピュータや、電圧の変換を行う電源ボックス、停電時に制御部のＣＰＵやハードディスク等の破損を防ぐ無停電電源装置等が設置される。
【００３２】
＜画像出力装置１００のハードウェア構成＞
図３は、画像出力装置１００のハードウェア構成を示す図である。画像出力装置１００は、制御部３０１、記憶部３０２、入出力部３０３、デジタルカメラ３０４、スキャナ３０５、各種メディア読取書込部３０６、モニタ３０７（タッチパネル付き）、コインメック３０８、ビルバリ３０９、レシートジャーナル処理部３１０、プリンタ３１１、通信制御部３１３、香り付加部３１５等が、システムバス３１９を介して接続される。
【００３３】
制御部３０１は、ＣＰＵ、ＲＯＭ、ＲＡＭ等で構成され、大容量記録媒体としてのハードディスク等である記憶部３０２に格納されたプログラムに従って、システムバス３１９を介して接続された各装置を駆動制御する。
【００３４】
記憶部３０２には、各構成部分を駆動制御するプログラム、例えば各記録メディアに対する読取書込プログラム、課金プログラム等の他に、画像合成編集手段１１２の一部として入力または選択された画像を編集加工するための画像処理プログラム、注文内容入力手段１１５の一部として対話型メニューをモニタ３０７に表示し、印刷手段１１４に対してプリント条件を設定して、プリント開始を指示するプログラムが格納されている。
また、後述する「挿入画像ＤＢ（データベース）２０」、「香りＤＢ（データベース）３０」、「画像・香り対応テーブル４０」等が格納されている。
【００３５】
なお、これらの各プログラムコードは、制御部３０１により必要に応じて読みだされてＲＡＭに移され、ＣＰＵに読み出されて各種の手段として実行される。また、制御部３０１のメモリあるいは記憶部３０２は、処理に必要なデータ、画像データ等の情報を一時的に保持することもできる。
【００３６】
入出力部３０３（ＣＤ−ＲＯＭドライブ装置、キーボード、マウス等）は、制御部３０１のＲＯＭや記憶部３０２に記憶されているプログラムや情報をバージョンアップ、あるいは、画像出力装置１００の動作設定、機器設定等の設定を行う際に用いられ、メンテナンスキーにより本体部を管理モードに切り替えて、入出力部３０３にバージョンアップ用のＣＤ−ＲＯＭ等を挿入し、データの書き換えを行ったり、設定データを入力したりして設定を行う。
【００３７】
デジタルカメラ３０４、スキャナ３０５、各種メディア読取書込部３０６は、画像データの取得を行う。これらは、画像データ読込書込手段１１１に相当する。
【００３８】
モニタ３０７に表示された操作案内に従って、同モニタ３０７に表示されたタッチパネルボタンを選択し触れることにより、プリントモードの選択および画像データの取得から、合成、編集、加工、印刷物の出力までの一連の操作を行うことができる。モニタ３０７は、上記表示手段に相当する。
【００３９】
コインメック３０８、ビルバリ３０９、レシートジャーナル処理部３１０は、課金手段１１６に相当し、硬貨投入、紙幣挿入を受け付けたり、レシートの発行を行ったりする。
プリンタ３１１は、印刷手段１１４に相当し、画像データを被印刷物１２０に印刷し印刷物１２４を出力する印刷出力処理を行う。
香り付加部３１５は、香り付加手段１１８に相当し、印刷物１２４に所定の香りを付加する。
【００４０】
通信制御部３１３は、通信制御装置、通信ポート等であり、スマートフォン等の携帯端末と通信を行う。
システムバス３１９は、各部、各装置間の制御信号、データ信号等の授受を媒介する経路である。
【００４１】
次に、図４〜図６を参照して、画像出力装置１００の記憶部３０２に格納されている各データ内容について説明する。
【００４２】
＜挿入画像ＤＢ（データベース）２０＞
図４（ａ）は、記憶部３０２に格納されている「挿入画像ＤＢ２０」を示す図である。図に示すように、「挿入画像ＤＢ２０」は、挿入画像Ｉｍを一意に特定する「画像ＩＤ」と挿入画像Ｉｍの記憶部３０２内における「格納先」とを対応づけて保持する。
【００４３】
図４（ｂ）は、挿入画像Ｉｍの例を示す図である。図に示すように、挿入画像Ｉｍ１（「桜の画像」）、挿入画像Ｉｍ２（「ケーキの画像」）、挿入画像Ｉｍ３（「海の画像」）、・・・などの様々な挿入画像Ｉｍが記憶部３０２に格納されている。挿入画像Ｉｍは、被写体の後景に合成される背景画像であってもよいし、被写体の前景に合成されるスタンプ画像等であってもよい。
本実施形態では、利用者は写真を撮影する際に、これらの挿入画像Ｉｍを選択し撮影画像と合成することができる。
【００４４】
＜香りＤＢ（データベース）３０＞
図５は、香りに関する情報を保持する「香りＤＢ３０」の例を示す図である。図に示すように、「香りＤＢ３０」は、香りの識別情報である「香りＩＤ」と「香りの種類」とを対応付けて保持する。例えば、香りＩＤ“Ａ”は“みかんの香り”、香りＩＤ“Ｂ”は“海の香り”、香りＩＤ“Ｃ”は“桜の香り”と対応している。
【００４５】
＜画像・香り対応テーブル４０＞
図６は、図４の「画像ＩＤ」と図５の「香りＩＤ」との対応を保持する「画像・香り対応テーブル４０」の例を示す図である。画像出力装置１００の制御部３０１は、この「画像・香り対応テーブル４０」を参照することで、利用者が選択した挿入画像Ｉｍに対応する香りを決定し、印刷物１２４に所定の香りを付加する処理を実行する。
【００４６】
図６の例では、画像ＩＤ“１”と香りＩＤ“Ｃ”が対応している。すなわち、画像ＩＤ“１”に相当する挿入画像Ｉｍ１（「桜の画像」）と、香りＩＤ“Ｃ”に相当する“桜の香り”とが対応している。また、画像ＩＤ“２”と香りＩＤ“Ｅ”が対応している。すなわち、画像ＩＤ“２”に相当する挿入画像Ｉｍ（「ケーキの画像」）と香りＩＤ“Ｅ”に相当する“甘い香り”が対応している。
【００４７】
＜画像出力装置１００の動作＞
次に、図７〜図９を参照して、第１の実施形態に係る画像出力装置１００の動作を説明する。
【００４８】
図７は、画像出力装置１００の動作を示すフローチャートである。まず、画像出力装置１００は、挿入画像Ｉｍを選択する画面をモニタ上へ表示し、利用者に挿入画像Ｉｍを選択させる（ステップＳ１）。
【００４９】
図８は挿入画像Ｉｍを選択する画面９０１の例を示す図である。図に示すように、画面に挿入画像Ｉｍ１、Ｉｍ２、Ｉｍ３、Ｉｍ４が並べて表示されている。利用者は、画面上で好みの挿入画像Ｉｍを押下することで１つの画像を選択状態とし、その後、決定ボタン６０−３を押下することで、挿入する画像を確定させる。画面９０１のボタン６０−１又はボタン６０−２を押下すると、他の挿入画像Ｉｍがモニタ上に表示され選択できるようになる。
【００５０】
挿入画像Ｉｍが選択決定されると、画像出力装置１００は、「画像・香り対応テーブル４０」を参照して、選択された挿入画像Ｉｍの画像ＩＤに対応する香りを決定する（ステップＳ２）。
例えば図８において、利用者が挿入画像Ｉｍ１（「桜の画像」）を選択し挿入画像として決定したとする。この場合、制御部３０１は、「画像・香り対応テーブル４０」（図６）を参照して、挿入画像Ｉｍ１の画像ＩＤ“１”に対応する香りＩＤ“Ｃ”の香りを決定する。すなわち、香りＩＤ“Ｃ”に相当する「桜の香り」（図５）を決定する。
【００５１】
続いて、画像出力装置１００は、選択された挿入画像Ｉｍと被写体１２１を同時にモニタ上に表示させながら、撮影装置により被写体１２１を撮影し撮影画像５０（画像データ）を取得する（ステップＳ３）。撮影が終了すると挿入画像Ｉｍを合成させた合成画像７０をモニタ上へ表示する（ステップＳ４）。なお画像データを取得するに際し、撮影装置（デジタルカメラ等）による被写体１２１（利用者）の撮影の他、記録メディアからの取得、スキャナからの取得等を選択することもできる。また、スマートフォン等の携帯端末との無線又は有線通信により、携帯端末に記憶された画像データを受信し、取得してもよい。
【００５２】
図９は選択された挿入画像Ｉｍと撮影画像５０を合成した合成画像７０の表示例を示す図である。
図９は、図８において挿入画像Ｉｍ１（「桜の画像」）を選択した場合を示しており、撮影画像５０に挿入画像Ｉｍ１（「桜の画像」）が合成された合成画像７０がモニタ上に表示される。利用者は、合成画像７０を確認し、必要であれば挿入画像Ｉｍの表示位置・サイズの調整等を行い、決定ボタン７０−１を押下することで印刷画像として確定させる。撮り直しボタン７０−２を押下すると、撮影画像５０を撮り直すことができる。
【００５３】
続いて、画像出力装置１００は、利用者の注文内容（出力形態（写真プリント、シールプリント、インデックスプリント、はがきプリント等）、プリント枚数等）に応じて、課金処理、レシート発行処理を行う（ステップＳ５）。
【００５４】
また、画像出力装置１００は、色修正、リサイズ、トリミング、レイアウト、文字・ロゴ合成等の画像処理を行う（ステップＳ６）。画像処理した合成画像７０の画像データをメモリ、ハードディスク装置等に保持し、出力可能状態となったプリンタ３１１に当該画像データを転送し、印刷物１２４を出力する印刷処理を行う（ステップＳ７）。
【００５５】
そして、画像出力装置１００は、印刷処理により出力された印刷物１２４に、ステップＳ４において決定された香りを付加する香り付加処理を行う（ステップＳ８）。具体的には、香りカートリッジの各タンクの香料を適切な配合比で配合して香りを生成し、印刷物１２４に香りを付加する。香りの付加量は任意である。予め定められた付加量であってもよいし、利用者が、付加量の程度（「普通」、「多め」、「少なめ」など）を選択できるようにしてもよい。また印刷物１２４における香りを付加する箇所も任意である。印刷物１２４全体に均一に香りを付加してもよいし、挿入画像Ｉｍに応じた箇所に付加してもよい。例えば、挿入画像Ｉｍ１（「桜の画像」）であれば、桜の画像が表示されている画像左上付近に桜の香りを付加する。
最後に、画像出力装置１００は、香りが付加された印刷物１２４を、印刷物取出口２０５へ送出する。
【００５６】
以上、第１の実施形態によれば、香りが付加された画像印刷物を得られる。嗅覚は、五感の中で唯一、記憶や感情を創り出す大脳辺縁系と直接つながっており、香りは人間の記憶や感情に大きく作用する。本発明によれば、画像印刷物に付加した香りによって、大脳辺縁系が刺激され、写真を撮影したときの状況等が想起される。これにより記憶に深く残る画像印刷物が得られる。
【００５７】
また第１の実施形態では、利用者が選択した挿入画像Ｉｍを撮影画像５０に合成して印刷するとともに、挿入画像Ｉｍに対応する香りを付加する。これによって、画像データに挿入画像を合成することができ視覚的に面白みのある画像印刷物を作成できるとともに、挿入画像に対して嗅覚的な効果を付加することができる。このとき挿入画像に応じた香りが付加されるため、画像の雰囲気と調和した香りを発する画像印刷物が得られる。
【００５８】
なお、本実施形態では、印刷処理により出力された印刷物１２４に香りを付加しているが、これに限らず、印刷される前の被印刷物１２０に香りを付加するようにしてもよい。この場合、被印刷物１２０に香りを付加した後、画像データを被印刷物１２０に印刷し印刷物１２４を出力する。
【００５９】
また、インク自体に香りが付いている「香り付きインクカートリッジ」を用いて、被印刷物１２０に印刷処理を行うことで、香りが付加された印刷物１２４を出力するようにしてもよい。この場合、印刷処理と香り付加処理は一体の処理として実行される。
【００６０】
また、本実施形態では、挿入画像Ｉｍを選択した後に被写体を撮影しているが、この処理順序は逆でもよい。すなわち、被写体を撮影した後に挿入画像Ｉｍを選択するのでもよい。
【００６１】
［第２の実施形態］
次に、図１０〜図１５を参照して、本発明の第２の実施形態について説明する。第２の実施形態に係る画像出力装置１００Ａは、撮影画像から画像情報４１を認識し、画像情報４１に対応する香りを印刷物に付加することを特徴とする。画像情報４１とは、撮影画像の画像データから得られるあらゆる情報のことを言う。例えば、撮影画像中に写っている物体、被写体の性別、被写体の年齢層、被写体の表情などである。第２の実施形態では、予め認識対象として定められた画像情報４１と香りが対応づけて保持されている。そして、画像出力装置１００Ａは、公知の物体認識、顔認識、性別・年齢層の認識、表情認識などの画像認識技術を用いて撮影画像から画像情報４１を認識し、認識した画像情報４１に対応する香りを付加する。
【００６２】
＜画像・香り対応テーブル４０Ａ＞
図１０は、「画像情報４１」と「香りＩＤ」との対応を保持する「画像・香り対応テーブル４０Ａ」の例を示す図である。画像出力装置１００の制御部３０１は、この「画像・香り対応テーブル４０Ａ」を参照することで、撮影画像の画像データから認識された画像情報４１に対応する香りを決定し、印刷物１２４に香りを付加する処理を行う。
【００６３】
なお第２の実施形態に係る画像出力装置１００Ａの機能構成、外観構成、ハードウェア構成については、第１の実施形態の機能構成（図１）、外観構成（図２）、ハードウェア構成（図３）と同様である。
【００６４】
＜画像出力装置１００Ａの動作＞
図１１〜図１５を参照して、第２の実施形態に係る画像出力装置１００Ａの動作を説明する。
【００６５】
図１１は、画像出力装置１００Ａの動作を示すフローチャートである。まず、画像出力装置１００Ａは、撮影装置により被写体１２１を撮影し撮影画像５０Ａ（画像データ）を取得し、モニタ上へ表示する（ステップＳ１１）。なお第１の実施形態と同様に、撮影装置（デジタルカメラ等）による被写体１２１（利用者）の撮影の他、記録メディアからの取得、スキャナからの取得等を選択することもできる。また、スマートフォン等の携帯端末との無線又は有線通信により、携帯端末に記憶された画像データを受信し、取得してもよい。
【００６６】
図１２は、被写体１２１を撮影してモニタ上へ表示した撮影画像５０Ａの表示例を示す図である。図１２の場合、“みかん”を手に持っている被写体１２１が表示されている。利用者は、撮影画像５０Ａを確認し、問題がなければ決定ボタン７０−１を押下することで撮影画像を確定させる。撮り直しボタン７０−２を押下すると、撮影画像５０Ａを撮り直すことができる。
【００６７】
続いて、画像出力装置１００Ａは、画像認識処理を施すことによって、撮影画像５０Ａの画像データから１又は複数の画像情報４１を認識する（ステップＳ１２）。
図１３は、認識された画像情報４１の例を示す図である。図の場合、制御部３０１は、画像情報４１（“みかん”）と画像情報４１（“女性（１０代）”）の２つの画像情報４１を認識している。
【００６８】
そして、画像出力装置１００Ａは、「画像・香り対応テーブル４０Ａ」を参照して、認識された画像情報４１に対応する香りを決定する（ステップＳ１３）。
例えば、認識された画像情報４１が１つであれば、制御部３０１は、当該画像情報４１に対応する香りを決定する（なお、画像情報４１が一つも認識されなかった場合には、予め設定されている香りを決定する）。
【００６９】
また、認識された画像情報４１が複数あれば、制御部３０１は、いずれか一つの画像情報４１を選択し、当該画像情報４１に対応する香りを決定することができる。例えば、認識確度が高い画像情報４１を優先して選択することができる。認識確度とは、画像認識結果の確からしさを表すものであり、例えば０から１の数値（確率）で評価される。図１３の場合において、例えば画像情報４１（“みかん”）の認識確度が０．９（認識確度が高い）、画像情報４１（“女性（１０代）”）の認識確度０．６（認識確度が中程度）であれば、認識確度が高い画像情報４１（“みかん”）を選択する。
【００７０】
また、認識した画像情報４１の画像中における位置やサイズに基づいて、画像情報４１を選択してもよい。例えば、画像の中央に近い画像情報４１を優先して選択するようにしてもよいし、サイズの大きい画像情報４１を優先して選択するようにしてもよい。このようにすれば、画像の中で大きな印象を与える画像情報４１に基づいて香りが付加される。
【００７１】
また、画像情報４１を一意に選択するのではなく、各画像情報４１に対応する各香り（複数の香り）を１つの印刷物１２４に付加するようにしてもよい。この場合、複数の香りが混ざらないように、印刷物１２４の異なる箇所に各香りを付加することが望ましい。例えば、認識された各画像情報４１の表示位置に、各画像情報４１に対応する各香りを付加することが望ましい。各香りの付加量は任意である。各香りを同量に付加してもよいし、画像情報４１の認識確度、サイズに応じて付加量を定めてもよい。例えば画像情報４１の認識確度が高いほど付加量が多くなるように、或いは画像情報４１のサイズが大きいほど付加量が多くなるように、各香りの付加量を制御することができる。
【００７２】
以降の処理は、第１の実施形態と同様である。すなわち、画像出力装置１００Ａは、利用者の注文内容（出力形態、プリント枚数等）に応じて、課金処理、レシート発行処理を行い（ステップＳ１４）、色修正、リサイズ、トリミング、レイアウト、文字・ロゴ合成等の画像処理を行う（ステップＳ１５）。続いて、画像出力装置１００Ａは、画像処理した撮影画像５０Ａの画像データをメモリ、ハードディスク装置等に保持し、出力可能状態となったプリンタ３１１に当該画像データを転送し、印刷物１２４を出力する印刷処理を行う（ステップＳ１６）。そして、画像出力装置１００Ａは、印刷処理により出力された印刷物１２４に、ステップＳ１４において決定された香りを付加する香り付加処理を行う（ステップＳ１７）。
最後に、画像出力装置１００Ａは、香りが付加された印刷物１２４を、印刷物取出口２０５へ送出する。
【００７３】
以上、第２の実施形態によれば、第１の実施形態と同様に記憶に深く残る画像印刷物が得られる。特に第２の実施形態によれば、撮影画像５０Ａの画像データから画像情報４１を識別し、識別された画像情報４１に対応する香りを画像印刷物に付加する。これにより、画像出力装置１００Ａは撮影画像５０Ａの状況を自動判断し状況に応じた香りを自動で付加することができる。
【００７４】
なお、ステップＳ１１の撮影の後に、撮影画像５０Ａに利用者が任意に画像編集を行う工程を加えてもよい。これにより、画像編集を行った画像データに基づいて、香りを付加することができる。例えば、利用者は、タッチペンによる落書き、テキスト挿入、画像データの切抜き、等の種々の編集を行うことができる。
【００７５】
図１４は、利用者が撮影画像５０Ａに対して画像編集を行った後の編集画像８０の例を示す図である。図は、利用者が、タッチペンを用いて“いちご”のイラストを描いた場合を示す。
また、図１５は、編集画像８０から認識された画像情報４１の例を示す図である。図の場合、画像情報４１（“みかん”）と画像情報４１（“女性（１０代）”）に加えて画像情報４１（“いちご”）が認識されている。
このとき、前述のように画像情報４１の認識確度、位置、サイズに基づいていずれかの画像情報４１に対応する香りを決定してもよいし、編集箇所の画像情報４１（図１５の場合は“いちご”）に対応する香りを優先して決定してもよい。また、複数の香りを１つの印刷物１２４に付加するようにしてもよい。
このように、撮影画像に対して利用者が自由に画像編集を行った編集画像８０の画像データから画像情報を認識して、認識した画像情報に対応する香りを付加するようにしてもよい。
【００７６】
［第３の実施形態］
次に、図１６〜図１９を参照して、本発明の第３の実施形態について説明する。
【００７７】
＜画像出力装置１００Ｂの構成＞
図１６は、第３の実施形態に係る画像出力装置１００Ｂの機能構成を示す図である。第３の実施形態では、第１の実施形態の機能構成（図１）に加えて、香り放出手段１１９を備える。
【００７８】
香り放出手段１１９は、画像出力装置１００Ｂの外部に香りを放出する。具体的には、香り付加手段１１８と同様に、香りカートリッジの各タンクから各香料を導入し所定の香りを生成し、画像出力装置１００Ｂの外部に香りを放出する。これにより、画像出力装置１００Ｂの周辺が放出した香りで満たされるため、利用者は必然的に香りを嗅ぐこととなる。
【００７９】
図１７は、画像出力装置１００Ｂの外観構成を示す外観斜視図である。第３の実施形態では、第１の実施形態の外観構成（図２）に加えて、香り放出装置２０８を備える。香り放出装置２０８は、前記した香り放出手段１１９として機能し、所定の香りを外部へ放出する装置である。なお香り放出装置２０８の設置位置は図の例に限らず、撮影ボックスの天井、床面、側面など画像出力装置１００Ｂと離れた位置に設置されていてもよい。
【００８０】
図１８は、画像出力装置１００Ｂのハードウェア構成を示す図である。第３の実施形態では、第１の実施形態のハードウェア構成（図３）に加えて、香り放出部３１６を備える。
画像出力装置１００Ｂのその他の機能構成、外観構成、ハードウェア構成は、第１の実施形態と同様であるため記載を省略する。
【００８１】
＜画像出力装置１００Ｂの動作＞
次に、図１９のフローチャートを参照して、第３の実施形態に係る画像出力装置１００Ｂの動作を説明する。
【００８２】
香りを決定するまでの動作は第１の実施形態と同様である。すなわち、画像出力装置１００Ｂは、挿入画像Ｉｍを選択する画面をモニタ上へ表示し、利用者に挿入画像Ｉｍを選択させる（ステップＳ３１）。挿入画像Ｉｍが選択決定されると、画像出力装置１００Ｂは、「画像・香り対応テーブル４０」（図６）を参照して、選択された挿入画像Ｉｍの画像ＩＤに対応する香りを決定する（ステップＳ３２）。
【００８３】
そして、画像出力装置１００Ｂは、ステップＳ３２で決定した香りを、香り放出装置２０８から放出する（ステップＳ３３）。これにより、画像出力装置１００Ｂの周辺が、放出した香りによって満たされた状態となる。
【００８４】
この状態で、画像出力装置１００Ｂは、選択された挿入画像Ｉｍと被写体１２１を同時にモニタ上に表示させながら、撮影装置により被写体１２１を撮影し撮影画像５０（画像データ）を取得する（ステップＳ３４）。これにより、利用者は、挿入画像Ｉｍに対応する香りを嗅いでいる状態で写真撮影を行うことになる。
【００８５】
以降の動作は第１の実施形態と同様である。すなわち、撮影が終了すると挿入画像Ｉｍを合成させた合成画像７０をモニタ上へ表示する（ステップＳ３５）。このとき、必要であれば挿入画像Ｉｍの表示位置・サイズの調整等を行う。また、撮り直しボタン７０−２（図９参照）を押下すると、撮影画像５０を撮り直すことができる。
【００８６】
続いて、画像出力装置１００Ｂは、利用者の注文内容（出力形態、プリント枚数等）に応じて、課金処理、レシート発行処理を行い（ステップＳ３６）、
色修正、リサイズ、トリミング、レイアウト、文字・ロゴ合成等の画像処理を行う（ステップＳ３７）。画像処理した画像データをメモリ、ハードディスク装置等に保持し、出力可能状態となったプリンタ３１１に当該画像データを転送し、印刷物１２４を出力する印刷処理を行う（ステップＳ３８）。
【００８７】
そして、画像出力装置１００Ｂは、印刷処理により出力された印刷物１２４に、ステップＳ３２において決定された香りを付加する香り付加処理を行う（ステップＳ３９）。すなわち、香り放出装置２０８によって放出された香りと同一の香りを印刷物１２４に付加する。
最後に、画像出力装置１００Ｂは、香りが付加された印刷物１２４を、印刷物取出口２０５へ送出する。
【００８８】
以上、第３の実施形態によれば、第１の実施形態と同様に記憶に深く残る画像印刷物が得られる。特に第３の実施形態によれば、写真撮影時の状況等をより確実に記憶に残すことができる。例えば、利用者は受け取った印刷物１２４の香りを確認しないで、そのまま印刷物１２４をしまってしまう場合がある。この場合、その場では香りを嗅いでいないため、写真撮影時の状況等が利用者の記憶に強く刻まれない場合がある。第３の実施形態では、香り放出装置２０８が香りを放出することによって、写真撮影時において印刷物１２４に付加される香りを必然的に嗅ぐこととなる。このため、その後、印刷物１２４を見返したときに、印刷物１２４から発する香りをきっかけとして、写真撮影時の状況等が鮮明に利用者の記憶に呼び起される（プルースト効果）。すなわち、第３の実施形態によれば、写真撮影時の状況等を確実に記憶に残す画像印刷物を得ることが可能となる。
【００８９】
なお、利用者が、画像出力装置１００Ｂが設けられている撮影ボックスに入ったタイミング、画像出力装置１００Ｂの操作を開始したタイミング、等で香り放出装置２０８から予め設定されている香りを発生し、発生した香りと同じ香りを印刷物１２４に付加するのでもよい。このようにすれば、挿入画像Ｉｍに応じた香りを付加することはできなくなるものの、利用者が香りを嗅ぐ時間を長くすることができるため、写真撮影時の状況等をより深く記憶に刻むことができる。
【００９０】
また、第２の実施形態において香りを放出する工程を加えてもよい。この場合、ステップＳ１３において認識した画像情報に対応する香りを決定した後に、決定した当該香りを香り放出装置２０８から放出する。
【００９１】
以上、添付図面を参照しながら、本発明に係る好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００９２】
１００、１００Ａ、１００Ｂ；画像出力装置
１２１；被写体
２０８；香り放出装置
２０；挿入画像ＤＢ
Ｉｍ（Ｉｍ１〜Ｉｍ４）；挿入画像
３０；香りＤＢ
４０、４０Ａ；画像・香り対応テーブル
５０、５０Ａ；撮影画像
７０；合成画像
８０；編集画像
【図１】
2017069769.tif 000003
【図２】
2017069769.tif 000004
【図３】
2017069769.tif 000005
【図４】
2017069769.tif 000006
【図５】
2017069769.tif 000007
【図６】
2017069769.tif 000008
【図７】
2017069769.tif 000009
【図８】
2017069769.tif 000010
【図９】
2017069769.tif 000011
【図１０】
2017069769.tif 000012
【図１１】
2017069769.tif 000013
【図１２】
2017069769.tif 000014
【図１３】
2017069769.tif 000015
【図１４】
2017069769.tif 000016
【図１５】
2017069769.tif 000017
【図１６】
2017069769.tif 000018
【図１７】
2017069769.tif 000019
【図１８】
2017069769.tif 000020
【図１９】
2017069769.tif 000021